(57)【要約】【課題】  警備を行っていることを積極的に知らしめることにより、不審者の侵入を未然に防ぐ。【解決手段】  窓６の開閉を検知するマグネットセンサ送信機１に、表示部２４を突出させて設ける。表示部２４は窓６に臨むように配置され、屋外から視認できる。マグネットセンサ送信機１が警備セット状態にあるとき、表示部２４は点滅等の表示を行う。警備解除状態にあるときにも、表示部２４は異なる形態で点滅等の表示を行う。マグネットセンサ送信機１がいずれの状態であろうが、侵入者が表示部２４を見たとき、作動しているものであると思い込ませることができる。【選択図】  図５
2006099501.tif 000002
【特許請求の範囲】
【請求項１】
侵入者の有無を検知するための侵入者検知器を備え、警備セット状態において、前記侵入者検知器が侵入者有りを検知したときにコントロール装置に通報する侵入検知装置であって、警備セット状態であることを外部に知らしめる表示部が設けられたことを特徴とする侵入検知装置。
【請求項２】
表示部は、警備解除状態にあることを警備セット状態の表示形態とは異なる表示形態で表示することを特徴とする請求項１記載の侵入検知装置。
【請求項３】
侵入者検知器は屋内に設置され、表示部は屋外から見える位置にあることを特徴とする請求項１または２記載の侵入検知装置。
【請求項４】
表示部は、侵入者検知器から分離可能とされたことを特徴とする請求項３記載の侵入検知装置。
【請求項５】
表示部は、警備セット状態および警備解除状態の各表示形態を変更可能とされたことを特徴とする請求項１〜４のいずれかに記載の侵入検知装置。
【請求項６】
侵入者の有無を検知するための侵入者検知器を有する侵入検知装置と、該侵入検知装置と通信可能とされ侵入検知装置からの侵入者有りの通報により警報を発するコントロール装置とから構成され、該コントロール装置は、警備セット状態と警備解除状態との切り替えを行い、前記侵入検知装置に、前記コントロール装置からの通信に応じて警備セット状態あるいは警備解除状態のいずれかにあることを外部に知らしめる表示部が設けられたことを特徴とするセキュリティシステム。
【請求項７】
表示部は、侵入者検知器から離され屋外から見える位置に設置されたことを特徴とする請求項６記載のセキュリティシステム。
【請求項８】
コントロール装置は、表示部における表示形態を設定するための操作部を備えたことを特徴とする請求項６または７記載のセキュリティシステム。
【発明の詳細な説明】
【技術分野】
【０００１】
本発明は、侵入検知装置によって、住宅内に侵入する侵入者を検知して威嚇、通報を行うセキュリティシステムに関する。
【背景技術】
【０００２】
従来、セキュリティシステムにおいて、警備領域内で異常が発生すると、警備領域内に設置されているコントロール装置が警報音を鳴らし、通信回線を介して警備センタに通報する。警備センタにおいて、この異常通報を受信すると、異常発生場所や異常内容を対処者に伝え、対処者が該当する警備領域に急行し、適切な対応を行うようになっている。
【０００３】
警備領域内での異常には、火災異常、警備セット中での人の検知、扉開、窓開などの侵入異常、セキュリティシステムを構成する機器に障害が生じた機器異常などがある。例えば、警備領域の各所には、人体が発する赤外線を検知し人の有無を検知する、いわゆるパッシブ赤外線センサ、人の通過する箇所に赤外線ビームを投受光し赤外線の遮断を検知する赤外線ビームセンサ等の人の侵入そのものを検知する人感センサや、窓や扉の開閉を検知するマグネットセンサなど種々の侵入センサが配置されている。これらの侵入センサによって、侵入異常が検知される。そして、侵入センサからの検知信号は、有線あるいは無線による通信でコントロール装置に送信される。
【０００４】
コントロール装置が、この検知信号を受信したき、侵入センサからの検知信号である場合、動作モードが警備セット状態であれば、警報音を鳴らし威嚇を行ったり、通信回線を介して警備センタに通報する。一方、動作モードが警備解除状態であれば、コントロール装置は、侵入センサからの検知信号を受信しても異常として扱わず、警報音の出力や通報を行わない。
【０００５】
すなわち、侵入センサは、侵入者と当該警備領域の正規の使用者とを区別せず、人を検知すると、動作モードに関係なく検知信号を送出する。コントロール装置が、動作モードに応じて侵入異常か否かを判断している。
【０００６】
そして、コントロール装置は、火災検知信号や機器異常信号を受信すると、侵入異常の場合と異なり、動作モードに関係なく、警備センタに通報するようになっている。
【０００７】
また、特許文献１には、侵入警戒センサが侵入者を検出したら、照明器具を点滅させて、警報音だけでなく光でも威嚇するセキュリティシステムが開示されている。
【特許文献１】特開２００３−１６５４２号公報
【発明の開示】
【発明が解決しようとする課題】
【０００８】
従来のセキュリティシステムでは、警備領域に侵入者があったときに初めて、音や光で威嚇を行ったり、通報を行う。すなわち、不審者の侵入を未然に防ぐ機能を備えていない。そのため、侵入を検知したときには、窓を割られたり、扉の鍵を壊されたりする被害を受けてしまっている場合がある。
【０００９】
そこで、本発明は、上記に鑑み、警備を行っていることを積極的に知らしめることにより、不審者の侵入を未然に防げるセキュリティシステムを提供することを目的とする。
【課題を解決するための手段】
【００１０】
本発明は、侵入者の有無を検知するための侵入者検知器を有する侵入検知装置と、該侵入検知装置と通信可能なコントロール装置とから構成され、侵入検知装置は、侵入者検知器が侵入者有りを検知したときにコントロール装置に通報し、コントロール装置が警報を発するセキュリティシステムである。そして、コントロール装置は、警備セット状態と警備解除状態との切り替えを行い、前記侵入検知装置に、前記コントロール装置からの通信に応じて警備セット状態あるいは警備解除状態のいずれかにあることを外部に知らしめる表示部が設けられたものである。
【００１１】
侵入検知装置に表示部が設けられているので、表示部が窓や扉の近傍に設置されることになり、侵入しようとする侵入者の目に付き、侵入者に対して警備中であることをアピールでき、その侵入を思い止まらせることができる。
【００１２】
そして、コントロール装置は、警備セット状態と警備解除状態とに動作モードを切り替え、侵入検知装置に切り替えた動作モードの情報を送信する。侵入検知装置は、動作モードに応じて侵入者の検知を行う。なお、警備セット状態においては、侵入者検知器が侵入者有りを検知したとき、コントロール装置が警報を発する。警備解除状態においては、侵入者検知器が侵入者有りを検知しても、コントロール装置は警報を発しない。
【００１３】
表示部は、動作モードに応じて、異なる表示形態で表示する。すなわち、警備セット状態の表示形態と警備解除状態の表示形態は異なるが、いずれの状態にあっても表示部による表示は行われる。これにより、侵入者に対して、侵入検知装置が作動して、警備中であると思い込ますことができ、侵入を阻止できる。一方、使用者に対しては、表示により現在の動作モードを確認でき、セットのし忘れや解除のし忘れを防げる。
【００１４】
そこで、表示部は屋外から見えればよいので、侵入者検知器は屋内に設置され、表示部は屋外から見える位置に配置される。表示部が侵入者検知器から分離可能とされることにより、表示部を屋外から見やすい位置に設置できる。
【００１５】
表示部は、警備セット状態および警備解除状態の各表示形態を変更可能とされる。侵入検知装置に操作部を設けて、表示形態の変更を行うか、あるいはコントロール装置に、表示部における表示形態を設定するための操作部を設けてもよい。コントロール装置において表示形態を設定したとき、この情報が侵入検知装置に送信され、表示形態が変更される。このように、表示形態を変更できるようにすることにより、侵入者にわからないように警備解除状態にあることを表示できる。したがって、警備解除状態であっても、侵入者はその状態にあることを簡単に見破れず、侵入の阻止効果が得られ、セキュリティシステムの信頼性が高まる。
【発明の効果】
【００１６】
本発明によると、表示部を設けることにより、警備中であることを積極的に表示でき、侵入者の侵入を阻止できる。したがって、侵入者が窓や扉を壊す前の段階において、侵入を未然に防ぐことができ、セキュリティ効果の高いセキュリティシステムを実現できる。
【００１７】
また、警備セット状態だけでなく警備解除状態でも異なる形態での表示をするので、侵入者に対しては警備中であることを認識させることができ、使用者は現在の動作モードを確認することができる。
【発明を実施するための最良の形態】
【００１８】
本実施形態のセキュリティシステムを図１に示す。セキュリティシステムは、家等の警備領域内への侵入者を検知するマグネットセンサ送信機１、人感センサ送信機２といった侵入検知装置と、複数の侵入検知装置の制御を行うコントロール装置（コントローラ）３と、システム全体を管理する警備センタ４とから構成される。侵入検知装置とコントローラ３とは、双方向に無線通信可能とされる。コントローラ３と警備センタ４とは、電話回線等の通信回線５を介して接続され、双方向の通信が可能とされる。
【００１９】
侵入検知装置として、窓あるいは扉の開閉を検知するマグネットセンサ送信機１および人の動きを検知する人感センサ送信機２が用いられる。マグネットセンサ送信機１は、窓６や扉７の近傍の屋内側に設置される。人感センサ送信機２は、廊下、階段、室内の壁や天井に設置される。マグネットセンサ送信機１および人感センサ送信機２は、侵入者有りを検知したときにコントローラ３に無線通信により通報する。コントローラ３は、警備領域内への侵入を検知すると、警報音を鳴らして侵入者を威嚇するとともに、通信回線５を介して警備センタ４に通報を行う。
【００２０】
図２にコントローラ３のブロック構成を示す。コントローラ３は、操作部１０と、表示部１１と、通報部１２と、受信部１３と、送信部１４と、報知部１５と、制御部１６とから構成される。
【００２１】
操作部１０は、操作キーやカードリーダー等から構成される。そして、警備領域への侵入が許容されている正規の使用者や対処者よって操作され、動作モードを警備解除状態から警備セット状態にまたはその逆に移行する切替操作や各種設定を行う。表示部１１は、ＬＥＤやＬＣＤから構成され、全体および各侵入検知装置の警備セット状態や警備解除状態等の警備領域の状態、異常発生の有無、機器のメンテナンス情報などを表示する。通報部１２は、通信回線５を介して警備センタ４に異常通報を行うとともに、警備センタ４からの情報を受信する。受信部１３は、マグネットセンサ送信機１および人感センサ送信機２から送信される無線信号をアンテナ１７を介して受信する。送信部１４は、マグネットセンサ送信機１および人感センサ送信機２に対して、警備セット状態あるいは警備解除状態に切り替えるための切替信号等を所定の無線信号によってアンテナ１７を介して送信する。報知部１５は、侵入者を威嚇するため、警報音を鳴らす。そして、制御部１６は、前述の各部を制御するマイクロコンピュータおよびメモリ、クロック等の周辺回路からなる。
【００２２】
図３にマグネットセンサ送信機１のブロック構成を示す。マグネットセンサ送信機１は、マグネットスイッチ部２０と、マグネットＩ／Ｆ部２１と、送信部２２と、受信部２３と、表示部２４と、操作部２５と、制御部２６と、電池２７とから構成される。
【００２３】
マグネットスイッチ部２０は、窓６や扉７の近傍に配置され、窓６や扉７の開放を検知すると、検知信号を制御部２６に出力する。マグネットＩ／Ｆ部２１は、マグネットスイッチ部２０との通信を行うインターフェース回路であり、マグネットスイッチ部２０からの検知信号を受け、制御部２６に出力する。送信部２２は、検知信号を無線信号に変換し、アンテナ２８からコントローラ３に無線送信する。受信部２３は、動作モードの切替信号、さらには表示部２４の表示設定信号等の無線信号をコントローラ３から受信する。表示部２４は、ＬＥＤで構成され、動作モードに応じた表示を行う。操作部２５は、表示部２４の表示設定等を行う。制御部２６は、マイクロコンピュータおよびメモリ、クロック等の周辺回路からなり、前述の各部を制御する。電池２７は、これらに電源を供給する。なお、表示部２４は、操作部２５、制御部２６等を収容した筐体２９とは別体とされ、ケーブル等で接続される。そのため、表示部２４は、筐体２９から離れた別の場所に設置可能とされる。
【００２４】
図４に人感センサ送信機２のブロック構成を示す。人感センサ送信機２は、人感センサ部３０と、送信部３１と、受信部３２と、表示部３３と、操作部３４と、制御部３５と、電池３６とから構成される。
【００２５】
人感センサ部３０は、人の動きを熱の変化として捉えるパッシブ赤外線センサからなり、人の存在を検知したとき、検知信号を制御部３５に出力する。送信部３１は、検知信号を無線信号に変換し、アンテナ３７からコントローラ３に無線送信する。受信部３２は、動作モードの切替信号、表示部３３の表示設定信号等の無線信号をコントローラ３から受信する。表示部３３は、ＬＥＤで構成され、動作モードに応じた表示を行う。操作部３４は、表示部３３の表示設定等を行う。制御部３５は、マイクロコンピュータおよびメモリ、クロック等の周辺回路からなり、前述の各部を制御する。電池３６は、これらに電源を供給する。なお、人感センサ部３０は、パッシブ赤外線センサに限るものではなく、超音波センサ、赤外線ビームセンサ、カメラなど警備領域の人の有無を検知するものであればよい。表示部３３は、操作部３４、制御部３５等を収容した筐体３８に設けられる。
【００２６】
次に、セキュリティシステムの動作モードに応じた動作について説明する。コントローラ３の操作部１０において、警備セット状態あるいは警備解除状態に切替操作されると、制御部１６は、切替信号を送信部１４に出力し、送信部１４は、マグネットセンサ送信機１および人感センサ送信機２に対して切替信号を無線送信する。
【００２７】
マグネットセンサ送信機１では、受信部２３が、コントローラ３からの切替信号を受信すると、制御部２６は、切替信号に応じた動作モードを実行する。すなわち、制御部２６は、警備セット状態にあるとき、マグネットスイッチ部２０から検知信号が入力すると、送信部２２により検知信号をコントローラ３に無線送信する。一方、警備解除状態にあるとき、マグネットスイッチ部２０が窓６、扉７等の開閉を検知して、検知信号を出力しても、制御部２６は、コントローラ３には検知信号を無線送信しない。また、操作部２５の表示設定に従って、表示部２４は、動作モードの表示を行う。
【００２８】
人感センサ送信機２では、受信部３２が、コントローラ３からの切替信号を受信すると、制御部３５は、切替信号に応じた動作モードを実行する。すなわち、制御部３５は、警備セット状態にあるとき、人感センサ部３０からの検知信号を入力されると、送信部３１により検知信号をコントローラ３に無線送信する。一方、警備解除状態にあるとき、人感センサ部３０が人を検知して、検知信号を出力しても、制御部３５は、コントローラ３には検知信号を無線送信しない。また、操作部３４の表示設定に従って、表示部３３は、動作モードの表示を行う。
【００２９】
このように、上記の侵入検知装置は、警戒解除状態にあるとき、頻繁に扉７等の開閉を検知したり、人有りを検知しても、その検知信号をコントローラ３に無線送信しない。したがって、通信トラフィックを低減でき、不要な通信が減るので、電池の寿命を長くすることができる。
【００３０】
そして、マグネットセンサ送信機１の表示部２４は、窓６等の外部から見える位置に設置される。表示部２４では、警備セット状態にあることを表示するだけでなく、警備解除状態にあっても表示を行う。いずれの状態であっても、外部からは表示部２４に何らかの表示がされていることを視認できる。したがって、実情を知らない侵入者に対して、警備中であると知らしめることができ、侵入を思い止まらせる効果を発揮することができる。
【００３１】
図５にマグネットセンサ送信機１の設置状況を示す。マグネットセンサ送信機1の筐体２９は、窓際の壁に取り付けられる、表示部２４は、筐体２９より突出しており、窓６に面する位置にあって、窓６の外から表示部２４がよく見えるように設置される。このように、表示部２４を筐体２９から突出させた構造や、表示部２４を筐体２９と分離して別の場所に設置できる構造とすることにより、屋内に侵入検知装置を設置しながら、屋外にいる人に対して警備セット状態であることを知らしめることができる。
【００３２】
また、通常、侵入検知装置は、侵入者に侵入前に破壊されないように、警備領域の内部、例えば窓６が閉められた住宅内に設置される。ここで、筐体２９と表示部２４とを異なる位置に設置できる構造とすることにより、侵入検知装置自体を侵入者から守りながら、表示部２４のみを見せるように設置することが可能となる。
【００３３】
なお、人感センサ送信機２やコントローラ３の表示部１１、３３も筐体３８から分離可能としてもよく、表示部１１、３３を屋外の壁等に設置すれば、外部から見えるようにできる。これによって、どこからでも警備中であることを表示できる。
【００３４】
ここで、図６に基づいて表示部２４、３３の表示形態を説明する。表示部２４、３３は、２個のＬＥＤによって構成される。警備解除状態では、ＬＥＤを交互に点滅させる。警備セット状態では、左ＬＥＤ点灯、両ＬＥＤ点灯、右ＬＥＤ点灯、両ＬＥＤ消灯、再度左ＬＥＤ点灯の順序で点滅動作を繰り返し行う。
【００３５】
表示部２４、３３において、ＬＥＤの点滅表示を行うことにより、侵入検知装置が設置されていることを侵入者に積極的に知らしめることができる。また、使用者に対しては、ＬＥＤの点滅状態によって、警備セット状態にあるのか、あるいは警備解除状態にあるのかを知らせることができる。これによって、外出時には、警備セット状態への切替を忘れずに行うことができるとともに、帰宅時には、警備解除状態への切替を確実に行うことができ、動作モードの切替ミスをなくして、誤動作を防止できる。
【００３６】
また、警備セット状態あるいは警備解除状態に対するＬＥＤの点滅表示といった表示部２４、３３における動作モードの表示形態は、操作部２５、３４からの設定により自由に変更できる。そのため、本セキュリティシステムに熟知した侵入者であっても、現在の表示形態が警備セット状態あるいは警備解除状態のいずれを示すのか解らないようにできる。すなわち、侵入者は、侵入検知装置が設置されて、動作していることだけを知ることになる。
【００３７】
使用者が侵入検知装置の操作部２５、３４から表示形態を直接設定する代わりに、コントローラ３から設定してもよい。すなわち、コントローラ３の操作部１０において、各侵入検知装置に対して使用者が所望の表示形態を設定する。その設定内容に応じた表示設定信号が、送信部１４によりマグネットセンサ送信機１あるいは人感センサ送信機２に無線送信される。マグネットセンサ送信機１あるいは人感センサ送信機２では、表示設定信号を受信すると、表示部２４、３３は、表示設定に従い、警備セット状態あるいは警備解除状態に応じた表示形態での表示を行う。なお、必要に応じて制御部２６、３５は、設定内容を記憶する。
【００３８】
このようにすれば、侵入検知装置に表示形態の設定を行うための操作部２５、３４が必要なくなり、より安価に侵入検知装置を製作することができる。また、侵入検知装置の設置時に装置毎に表示設定を行う必要がなく、コントローラ３で一括して各侵入検知装置の表示設定を行うことができ、設定作業が楽になる。特に、多数の侵入検知装置を設置する場合には、設定の手間を省略でき、設置時の作業性が向上する。
【００３９】
以上のように、侵入検知装置によって積極的な表示を行うことにより、実際に警備中であることを報知できるだけでなく、警備解除状態であるにもかかわらず、いかにも警備中であるかのように演出をすることができる。侵入者に対して、住宅がセキュリティシステムを備えており、侵入すると警報音が鳴って威嚇され、警備センタに通報されることを知らしめることができる。空き巣等の侵入者は侵入しにくい家であることがわかれば、侵入を諦め、無理に侵入しないという調査結果がある。これによって、侵入を思い止ませることが可能となり、セキュリティシステムとして、侵入を未然に防ぐ機能が得られる。
【００４０】
なお、本発明は、上記実施形態に限定されるものではなく、本発明の範囲内で上記実施形態に多くの修正および変更を加え得ることは勿論である。コントローラとマグネットセンサ送信機、人感センサ送信機等の侵入検知装置とは、無線通信を行う。無線方式としては、特定小電力無線、赤外線、無線ＬＡＮ、ブルートゥース（登録商標）を利用すればよい。また、コントローラと侵入検知装置とをケーブル等により接続して、有線通信可能としてもよい。また、侵入検知装置とコントローラとの位置関係に応じて、これらの無線通信および有線通信を任意に組み合わせてもよい。
【００４１】
表示部において、ＬＥＤを２個用いた表示形態を示したが、１つのＬＥＤを用いてもよい。この場合、警備解除状態では速い点滅、例えば０．５秒ＯＮ／０．５秒ＯＦＦ等とし、警備セット状態では遅い点滅、例えば０．５秒ＯＮ／２秒ＯＦＦ等とし、点滅周期を変えることにより、異なる表示形態とする。また、２個以上のＬＥＤを用いてもよく、さらにはＬＥＤの代わりに、液晶表示素子、ＥＬ（エレクトロ・ルミネッセンス）素子、ランプ等の他の表示素子を用いてもよい。また、表示部として、侵入検知装置の筐体自体を発光させる構造にして、侵入検知装置の存在を強調するような表示にしてもよい。表示部は動作モード応じた形態で表示するだけでなく、侵入者を検知したとき、例えば不規則な形態で表示をして、第三者に報知するようにしてもよい。
【図面の簡単な説明】
【００４２】
【図１】本発明のセキュリティシステムの全体構成図
【図２】コントローラの概略構成を示すブロック図
【図３】マグネットセンサ送信機の概略構成を示すブロック図
【図４】人感センサ送信機の概略構成を示すブロック図
【図５】マグネットセンサ送信機の表示部の設置状況を示す図
【図６】動作モードに応じた表示部の表示形態を示す図
【符号の説明】
【００４３】
１    マグネットセンサ送信機
２    人感センサ送信機
３    コントローラ
４    警備センタ
６    窓
７    扉
２０    マグネットスイッチ部
２４    表示部
２９    筐体
３０    人感センサ部
３３    表示部
【図１】
2006099501.tif 000003
【図２】
2006099501.tif 000004
【図３】
2006099501.tif 000005
【図４】
2006099501.tif 000006
【図５】
2006099501.tif 000007
【図６】
2006099501.tif 000008